(57)【要約】【課題】ボックスに収納することなく、スピーカの外周り及び後方へ放射される放射音波の干渉を抑制することができ、ボックスに収納されていない割に音質を良好にすることができるスピーカ及びスピーカ装置を提供する。【解決手段】筒体４の一端部に保持される磁気回路形成部５と、該磁気回路形成部５が形成する磁気回路に配置されたボイスコイル６と、筒体４の他端部及びボイスコイル６の間に配置され、該ボイスコイル６により振動する振動板７とを備えるスピーカＡであり、筒体４の外周りに、該筒体４の外周りに放射された音波が筒体４の側方へ伝搬されるのを遮蔽する遮蔽壁２，３を設け、筒体４の外周りに放射された放射音波の干渉を抑制するようにした。【選択図】図１
2007282051.tif 000002
【特許請求の範囲】
【請求項１】
筒体の一端部に保持される磁気回路形成部と、該磁気回路形成部が形成する磁気回路に配置されたコイルと、前記筒体の他端部及び前記コイルの間に配置され、該コイルにより振動する振動部とを備えるスピーカにおいて、前記筒体の外周りに、該筒体の外周りに放射された音波が前記筒体の側方へ伝搬されるのを遮蔽する遮蔽壁を備えることを特徴とするスピーカ。
【請求項２】
前記遮蔽壁は、前記磁気回路形成部より前記筒体の他端部側に配置してある請求項１記載のスピーカ。
【請求項３】
前記振動部は前記筒体内をコイル側空洞と振動部側空洞とに仕切るダンパを有し、前記筒体は前記コイル側空洞に開口する通気孔を有し、前記遮蔽壁は前記通気孔より前記磁気回路形成部側と前記他端部との間に配置してある請求項１又は２記載のスピーカ。
【請求項４】
前記遮蔽壁は前記筒体の周方向の任意の２位置に配置してある請求項１乃至３のいずれか一つに記載のスピーカ。
【請求項５】
前記両側の遮蔽壁の間で前記磁気回路形成部を被覆し、前記筒体の一端部側に放射された音波の音を吸音する吸音材を備える請求項４記載のスピーカ。
【請求項６】
請求項１乃至５のいずれか一つに記載の複数のスピーカと、該スピーカの夫々を並べて支持する支持体とを備えることを特徴とするスピーカ装置。
【請求項７】
前記遮蔽壁は前記支持体と一体成形してある請求項６記載のスピーカ装置。
【請求項８】
前記吸音材は前記スピーカの夫々を跨いで設けてある請求項６又は７記載のスピーカ装置。
【発明の詳細な説明】
【技術分野】
【０００１】
本発明は電気信号を音波に変換し、変換した音波を振動部から外部に放射するスピーカ、及び該スピーカを支持する支持体を備えるスピーカ装置に関する。
【背景技術】
【０００２】
スピーカ装置はテレビ等の表示装置に用いられる。また、スピーカは、筒体と、該筒体の一端部に保持され、ヨーク及びマグネットを有する磁気回路形成部と、該磁気回路形成部が形成した磁気回路中で、且つ前記一端部の中央部に配置され、電気信号が与えられることにより振動するボイスコイルと、前記筒体の他端部及び前記ボイスコイルの間に配置され、該ボイスコイルにより振動する振動板とを備える（例えば特許文献１参照）。
【０００３】
図１５はスピーカの指向性を示す極座標特性図、図１６はスピーカの指向周波数特性図である。スピーカは振動板の振動により発生する音波が図１５に示すように全方向へ放射され、極座標０°〜３０°で音圧が高く、極座標３０°から極座標１８０°へ至るに従って音圧が低下する。このようにスピーカが発生する音波はスピーカの前方（極座標０°〜６０°、極座標２７０°〜０°）へ放射されるとともに、スピーカの外周り（極座標６０°〜１２０°、極座標２１０°〜２４０°）、及び後方（極座標１２０°〜２１０°）へ放射される。また、スピーカの指向周波数特性は、図１６に示すように極座標０°で最も優れており、極座標０°から極座標６０°へ至るに従って悪くなる。
【０００４】
また、スピーカ装置は、一面に貫通孔を有し、該貫通孔に筒体の他端部を取付けて前記スピーカを収納するボックスを備える（例えば特許文献１参照）。このように構成されたスピーカ装置にあっては振動板の振動により発生する音波が前方へ放射されるとともに、ボックス内へ放射される。
【０００５】
また、二つのスピーカと、該スピーカの夫々を並べて収納するボックスとを備えるスピーカ装置は、例えば特許文献２、３記載のように構成されている。特許文献２のスピーカ装置は、前面に二つの貫通孔を有するボックスの前記貫通孔にスピーカを夫々取付け、ボックス内に仕切壁を設けることにより夫々のスピーカからボックス内に放射された放射音波が互いに干渉するのを防ぐように構成されている。また、特許文献３のスピーカ装置は、ボックス内に収納された二つのスピーカの間に、ボックスの前面から前方へ延出された仕切板を設けることにより夫々のスピーカから前方へ放射された放射音波の短絡を防ぐように構成されたものである。
【特許文献１】特開平７−２４０９８４号公報
【特許文献２】実開平１−１３３８９１号公報
【特許文献３】特開平１０−１０８２９２号公報
【発明の開示】
【発明が解決しようとする課題】
【０００６】
ところが、特許文献１〜３のようにスピーカがボックス内に収納されているスピーカ装置にあっては、スピーカの外周りにボックスがあるため、スピーカ装置が大型となり、このスピーカ装置を例えば薄型テレビ等の表示装置に組込むとき、前記ボックスが表示装置の薄型化に支障をきたすことになる。
【０００７】
図１７はボックスをなくしたスピーカ装置の構成を示す説明図である。スピーカ装置及び表示装置の薄型化を図るべくボックスをなくした場合、並置された他のスピーカＡから放射される放射音波との干渉、表示装置に組込まれている冷却ファン用電動モータの振動により伝搬する伝搬空気との干渉（例えば図１７の破線重合部）、放音用ダクトから表示装置の外部に放出される放出音との干渉、放熱孔から表示装置の内外へ入出する空気との干渉等により、音波の打消し、音波の乱れ、音波の歪が大きくなり、音質の悪化をきたすことになる。
【０００８】
本発明は斯かる事情に鑑みてなされたものであり、主たる目的は筒体の外周りに、該筒体の外周りに放射された音波が前記筒体の側方へ伝搬されるのを遮蔽する遮蔽壁を設けることにより、ボックスに収納されていない割に音質を良好にできるスピーカを提供することにある。
【０００９】
また、他の目的は前記遮蔽壁を磁気回路形成部より筒体の他端部側に配置することにより、放射音波が干渉するのを抑制することができる割に小型にできるスピーカを提供することにある。
【００１０】
また、他の目的はコイル側空洞と振動部側空洞とに仕切られ、コイル側空洞に開口する通気孔を有する筒体の前記通気孔より磁気回路形成部側と筒体の他端部との間に遮蔽壁を配置することにより、通気孔から放射される放射音波が筒体の外周りで干渉するのを抑制することができ、低音域での音質をより一層良好にできるスピーカを提供することにある。
【００１１】
また、他の目的は遮蔽壁を筒体の周方向の任意の２位置に配置することにより、複数のスピーカが筒体の側方に離隔して配置される場合においても夫々のスピーカの音質を良好にできるスピーカを提供することにある。
【００１２】
また、他の目的は両側の遮蔽壁の間で磁気回路形成部を被覆し、筒体の一端部側に放射された音波の音を吸音する吸音材を設けることにより、音質をより一層良好にできるとともに、ボックスに収納されていない割に小型、軽量にできるスピーカを提供することにある。
【００１３】
また、他の目的は請求項１乃至４のいずれか一つに記載の複数のスピーカと、該スピーカの夫々を並べて支持する支持体とを備えることにより、複数のスピーカを備える割に小型、軽量にでき、しかも、ボックスに収納されていない割に音質を良好にできるスピーカ装置を提供することにある。
【００１４】
また、他の目的は遮蔽壁を支持体と一体成形してある構成とすることにより、遮蔽壁を備える割にコストを低減できるとともに低音域での音質をより一層良好にできるスピーカ装置を提供することにある。
【００１５】
また、他の目的はスピーカの夫々を跨いで吸音材を設けることにより、音質をより一層良好にできるとともに、ボックスに収納されていない割に小型、軽量にできるスピーカ装置を提供することにある。
【課題を解決するための手段】
【００１６】
本発明に係るスピーカは、筒体の一端部に保持される磁気回路形成部と、該磁気回路形成部が形成する磁気回路に配置されたコイルと、前記筒体の他端部及び前記コイルの間に配置され、該コイルにより振動する振動部とを備えるスピーカにおいて、前記筒体の外周りに、該筒体の外周りに放射された音波が前記筒体の側方へ伝搬されるのを遮蔽する遮蔽壁を備えることを特徴とする。
【００１７】
この発明にあっては、筒体の外周り設けられている遮蔽壁により、筒体の外周りで放射音波が干渉するのを抑制することができるため、ボックスに収納されていない割に音質を良好にできる。
【００１８】
また、本発明に係るスピーカは、前記遮蔽壁は、前記磁気回路形成部より前記筒体の他端部側に配置してあることを特徴とする。
【００１９】
この発明にあっては、放射音波が干渉するのを抑制することができる割に小型にでき、スピーカが組込まれる薄型テレビ等の表示装置を薄型化することができる。
【００２０】
また、本発明に係るスピーカは、前記振動部は前記筒体内をコイル側空洞と振動部側空洞とに仕切るダンパを有し、前記筒体は前記コイル側空洞に開口する通気孔を有し、前記遮蔽壁は前記通気孔より前記磁気回路形成部側と前記他端部との間に配置してあることを特徴とする。
【００２１】
この発明にあっては、振動部のダンパが振動することによりコイル側空洞の空気が圧縮、膨張を交互に繰返し、圧縮過程で通気孔から筒体の外部に音波が放射されることになるが、通気孔より磁気回路形成部側と筒体の他端部との間に遮蔽壁があるため、通気孔から放射される放射音波が筒体の外周りで干渉するのを抑制することができ、低音域での音質をより一層良好にできる。
【００２２】
また、本発明に係るスピーカは、前記遮蔽壁は前記筒体の周方向の任意の２位置に配置してあることを特徴とする。
【００２３】
この発明にあっては、複数のスピーカが筒体の側方に離隔して配置される場合においても、隣合うスピーカが放射した放射音波が筒体の外周りで互いに干渉するのを抑制することができ、複数のスピーカが離隔配置される場合の音質を良好にできる。
【００２４】
また、本発明に係るスピーカは、前記両側の遮蔽壁の間で前記磁気回路形成部を被覆し、前記筒体の一端部側に放射された音波の音を吸音する吸音材を備えることを特徴とする。
【００２５】
この発明にあっては、磁気回路形成部側に放射された放射音波の音を吸音材が吸音するため、両側の遮蔽壁が放射音波の干渉を抑制することと相俟って音質をより一層良好にできる。また、両側の遮蔽壁の間で磁気回路形成部を吸音材が被覆しているため、ボックスに収納されていない割に小型、軽量にできる。
【００２６】
また、本発明に係るスピーカ装置は、請求項１乃至５のいずれか一つに記載の複数のスピーカと、該スピーカの夫々を並べて支持する支持体とを備えることを特徴とする。
【００２７】
この発明にあっては、複数のスピーカを支持体が支持しているため、複数のスピーカを備えるスピーカ装置を小型、軽量にでき、しかも、ボックスに収納されていない割に音質を良好にでき、また、スピーカの支持体への組込を簡易にできる。
【００２８】
また、本発明に係るスピーカ装置は、前記遮蔽壁は前記支持体と一体成形してあることを特徴とする。
【００２９】
この発明にあっては、支持体が成形される成形用型により遮蔽壁を成形することができるため、遮蔽壁を備える割にコストを低減でき、しかも、遮蔽壁により支持体の剛性を高めることができ、該支持体の振動を抑制することができるため、低音域での音質をより一層良好にできる。
【００３０】
また、本発明に係るスピーカ装置は、前記吸音材は前記スピーカの夫々を跨いで設けてあることを特徴とする。
【００３１】
この発明にあっては、複数のスピーカの磁気回路形成部側に放射された放射音波の音を吸音材が吸音するため、遮蔽壁が放射音波の干渉を抑制することと相俟って音質をより一層良好にできる。また、スピーカの夫々を跨いで吸音材が設けられているため、スピーカがボックスに収納されていない割に小型、軽量にできる。
【発明の効果】
【００３２】
以上詳述したように本発明によれば、筒体の外周りで放射音波が干渉するのを遮蔽壁により抑制することができるため、ボックスに収納されていない割に音質を良好にできる。
【００３３】
また、本発明によれば、放射音波が干渉するのを抑制することができる割にスピーカを小型にでき、スピーカが組込まれる薄型テレビ等の表示装置を薄型化することができる。
【００３４】
また、本発明によれば、振動部のダンパが振動することにより通気孔から筒体の外部に放射される放射音波が筒体の外周りで干渉するのを遮蔽壁により抑制することができ、低音域での音質をより一層良好にできる。
【００３５】
また、本発明によれば、複数のスピーカが筒体の側方に離隔して配置される場合においても、隣合うスピーカが放射した放射音波が筒体の外周りで互いに干渉するのを抑制することができ、音質を良好にできる。
【００３６】
また、本発明によれば、磁気回路形成部側に放射された放射音波の音を吸音材により吸音することができ、両側の遮蔽壁が放射音波の干渉を抑制することと相俟って音質をより一層良好にできる。また、ボックスに収納されていない割にスピーカを小型、軽量にできる。
【００３７】
また、本発明によれば、複数のスピーカを備えるスピーカ装置を小型、軽量にでき、しかも、スピーカがボックスに収納されていない割に音質を良好にでき、また、スピーカの支持体への組込を簡易にできる。
【００３８】
また、本発明によれば、遮蔽壁を備える割にコストを低減でき、しかも、遮蔽壁により支持体の剛性を高めることができ、低音域での音質をより一層良好にできる。
【００３９】
また、本発明によれば、複数のスピーカの磁気回路形成部側に放射された放射音波の音を吸音材により吸音することができ、遮蔽壁が放射音波の干渉を抑制することと相俟って音質をより一層良好にできる。また、スピーカがボックスに収納されていない割にスピーカ装置を小型、軽量にできる。
【発明を実施するための最良の形態】
【００４０】
以下本発明をその実施の形態を示す図面に基づいて詳述する。
実施の形態１
図１は本発明に係るスピーカ装置の構成を示す断面図、図２は一部を省略した拡大断面図、図３は斜視図、図４は一部を分解した斜視図、図５は支持体の背面側斜視図である。
【００４１】
図示したスピーカ装置は二つのスピーカＡ，Ａと、該スピーカＡ，Ａの夫々を並べて支持する板状の支持体１と、スピーカＡ，Ａの外周りに配置され、スピーカＡ，Ａのそれぞれの外周りに放射された放射音波が互いに干渉するのを抑制する第１及び第２の遮蔽壁２，３とを備える。
【００４２】
スピーカＡ，Ａは、筒体４と、該筒体４の一端部に保持される磁気回路形成部５と、該磁気回路形成部５が形成した磁気回路の環状の空隙に配置され、電気信号の音源が与えられることにより振動するコイル、詳しくはボイスコイル６と、筒体４の他端部及びボイスコイル６の間に配置され、該ボイスコイル６により振動する振動板７及びダンパ８とを備える。
【００４３】
筒体４は小径筒部４ａ及び該小径筒部４ａに径方向の段部４ｂを経て連なる大径筒部４ｃと、小径筒部４ａの端縁から内向きに延出されたフランジ４ｄと、大径筒部４ｃから外向きに延出された鍔部４ｅとを有する筒形をなしており、フランジ４ｄの周方向複数箇所に通気孔４１が設けられている。
【００４４】
磁気回路形成部５は、円板部５１ａの中央に円柱部５１ｂを有するヨーク５１と、該ヨーク５１の円柱部５１ｂに挿嵌支持される環状のマグネット５２と、該マグネット５２を円板部５１ａとの間で挟み込む磁性環板５３とを備え、該磁性環板５３がフランジ４ｄの外面に取付けられており、磁性環板５３と円柱部５１ｂとの間の環状の空隙にボイスコイル６が配置されている。
【００４５】
ボイスコイル６は薄肉円筒状のボビン９の一端部に巻回保持されている。ボビン９の他端部は筒体４内に配置され、該ボビン９が振動板７及びダンパ８により筒体４に支持されている。また、ボイスコイル６は筒体４の大径筒部４ｃに取付けられた端子１０に導線により接続されており、また、ボビン９の他端部には薄肉のダストキャップ１１が嵌着されている。
【００４６】
振動板７はボイスコイル６側が小径に形成されたコーン形をなし、大径縁が鍔部４ｅに結合され、小径縁がボビン９の他端部に結合されている。ダンパ８は断面波形をなす環状の薄板であり、内縁がボビン９に結合され、外縁が筒体４の段部４ｂに結合されている。尚、振動板７とダンパ８とダストキャップとが振動部を構成している。
【００４７】
支持体１は板状の略直方形をなし、四角に挿通孔１ａを有し、長手方向の両端間に二つの貫通孔１ｂ，１ｂが開設されており、該貫通孔１ｂ，１ｂの夫々にスピーカＡ，Ａの筒体４，４が嵌着されている。支持体１の一面で、長手方向中央部には、貫通孔１ｂ，１ｂに嵌着されているスピーカＡ，Ａの間に配置され、スピーカＡ，Ａの夫々の外周部と離隔して向き合う第１の遮蔽壁２が設けられており、支持体１の一面で、長手方向両端部には、貫通孔１ｂ，１ｂに嵌着されているスピーカＡ，Ａの外周部と離隔して向き合う第２の遮蔽壁３，３が設けられている。
【００４８】
第１及び第２の遮蔽壁２，３は、ヨーク５１の円板部５１ａ外面より筒体４の他端部側で、且つ通気孔４１より円板部５１ａ側の任意の位置と筒体４の他端部との間に配置されている。換言するとヨーク５１の外側端面及び筒体４の他端縁間の長さＨ１より短く、筒体４の通気孔４１及び筒体４の他端縁間の長さＨ２より長い位置に第１及び第２の遮蔽壁２，３を配置してある。第１の遮蔽壁２は貫通孔１ｂの孔径と略等しい幅でほぼ真っ直になっており、第２の遮蔽壁３，３は貫通孔１ｂの孔径と略等しい幅で外側凸に湾曲している。支持体１の一面で、第１及び第２の遮蔽壁２，３の幅方向両端部近傍には第１及び第２の遮蔽壁２，３を補強する複数の柱状リブ１ｃ及び板状リブ１ｄが設けられている。また、遮蔽壁２，３、柱状リブ１ｃ及び板状リブ１ｄは、支持体１を成形する成形用型に溶融合成樹脂を注入することにより一体成形されている。
【００４９】
図６は表示装置の構成を示す斜視図である。以上のように構成されたスピーカ装置は、薄型テレビ等の略直方形をなす表示装置Ｂの下部に取着される。この表示装置Ｂはテレビ画像等を表示する表示面２０ａを有し、略直方形をなす表示部２０と、該表示部２０の周縁部を取り囲むフロントキャビネット２１と、表示部２０の後側を覆うリアキャビネット２２と、表示部２０を起立状態に支持するスタンド２３と、表示部２０の下部両側に取着されたスピーカ装置とを備えている。
【００５０】
フロントキャビネット２１の下部には横長の矩形をなし、両端側に複数の放音孔を有するスピーカ取着板２４が一体成形されており、該スピーカ取着板２４の後面で、放音孔に対応する箇所に二つのスピーカ装置が取着され、また、スピーカ取着板２４の前面にパンチングプレート等の装飾板が取着される。スピーカ装置の取着は、支持体１の挿通孔１ａに挿通されるボルトを、スピーカ取着板２４の両側部に開設されている螺子孔に緊締することにより行う。
【００５１】
取着されたスピーカ装置は、夫々のスピーカＡ，Ａの振動板７が放音孔の後方に配置されている。そして、夫々のスピーカＡ，Ａのボイスコイル６に電気信号の音源が与えられることにより、ボイスコイル６が振動し、該ボイスコイル６に連なる振動板７、ダンパ８及びダストキャップ１１が振動し、図１に示すようにスピーカＡ，Ａの前方、外周り及び後方へ音波が放射される。
【００５２】
スピーカＡ，Ａの夫々の外周りには第１の遮蔽壁２及び第２の遮蔽壁３，３が設けられているため、隣合うスピーカＡ，Ａから該スピーカＡ，Ａの外周りに放射された音波が互いに干渉するのを第１の遮蔽壁２により抑制することができ、また、表示部２２の下部両側に取着されたスピーカ装置のスピーカＡ，Ａから該スピーカＡ，Ａの外周りに放射された音波が互いに干渉するのを第２の遮蔽壁３，３により抑制することができる。
【００５３】
図７はスピーカの歪特性図である。図７の(a) は遮蔽壁２，３を備える本発明スピーカの歪特性であり、図７の(b) は遮蔽壁２，３がない従来のスピーカの歪特性である。本発明スピーカにあっては放射音波の干渉を遮蔽壁２，３により抑制することができるため、従来のスピーカの歪特性(b) より優れた歪特性にすることができる。従って、スピーカがボックスに収納されていない割に音質を良好にでき、電気信号の音源に忠実に再生することができる。また、表示装置に組込まれる冷却ファン用電動モータの振動により伝搬する伝搬空気との干渉、リアキャビネット２２の下部に設けられる放音用ダクトから表示装置Ｂの外部に放出される放出音との干渉、リアキャビネット２２の下部に設けられる放熱孔から表示装置Ｂの内外へ入出する空気との干渉を第２の遮蔽壁３，３により抑制することができる。
【００５４】
また、第１及び第２の遮蔽壁２，３はヨーク５１の円板部５１ａ外面より筒体４側で、且つ筒体４の通気孔４１よりマグネット５２側に先端部が位置する長さに形成されているため、放射音波が干渉するのを抑制することができる割にスピーカＡ，Ａを小型化でき、表示装置を薄型化できる。
【００５５】
尚、第２の遮蔽壁３，３は一つであってもよい。しかし、第２の遮蔽壁３，３を二つとすることにより、第２の遮蔽壁３，３の位置を考慮することなくスピーカ装置を表示装置に組み込むことができ、組込作業性を向上できる。
【００５６】
実施の形態２
図８はスピーカ装置の実施の形態２の構成を示す正面図、図９は底面図、図１０は背面図、図１１は側面図、図１２は一部を分解した斜視図、図１３は支持体１の構成を示す背面側斜視図である。このスピーカ装置は、実施の形態１のように二つのスピーカＡ，Ａを備える代わりに、コーン形をなす振動板７の小径縁側を円形とし、大径縁側を長円形とした一つのスピーカＡを備え、広角度で音波を前方へ放射することができるように構成したものであり、長円の長手方向両側に第２の遮蔽壁３，３を設けてある。
【００５７】
磁気回路形成部５及びボイスコイル６は実施の形態１と同様に構成されており、筒体４は振動板７に対応して円形の小径筒部４ａから長円形の大径筒部４ｃへ拡径するコーン形をなしており、ダンパ８は長円形をなしている。
【００５８】
第２の遮蔽壁３，３は筒体４の大径筒部４ｃの長手方向両側に配置され、大径筒部４ｃに対応して湾曲している。また、支持体１には筒体４の大径筒部４ｃに対応する長円孔４ｆが設けられている。
【００５９】
以上のように構成されたスピーカ装置は、例えば略直方形をなす表示部２０の下部両側に取着される。
【００６０】
実施の形態２にあっては、表示部２０の下部両側に取着されたスピーカ装置のスピーカＡ，Ａから該スピーカＡ，Ａの外周りに放射された音波が互いに干渉するのを第２の遮蔽壁３，３の一方により抑制することができる。従って、スピーカ装置がボックスに収納されていない割に音質を良好にできる。
その他の構成及び作用は実施の形態１と同様であるため、同様の部品については同じ符号を付し、その詳細な説明及び作用効果の説明を省略する。
【００６１】
実施の形態３
図１４はスピーカ装置の実施の形態３の構成を示す一部を分解した斜視図である。このスピーカ装置は、実施の形態１のように構成されたスピーカ装置の第２の遮蔽壁３，３の間で二つのスピーカＡ，Ａの磁気回路形成部５，５を被覆し、筒体４，４の一端部側に放射された音波の音を吸音する吸音材３０を備え、該吸音材３０が簡易ボックスとなるように構成してある。
【００６２】
吸音材３０はグラスウール、ポリエステルファイバ等の不織布により略コ字形に形成されており、両端部３０ａ，３０ａを第２の遮蔽壁３，３の内側面に圧接させることにより第２の遮蔽壁３，３に保持してある。また、吸音材３０はヨーク５１の外径に対応する幅に形成されており、磁気回路形成部５と離隔して配置されている。
【００６３】
以上のように構成されたスピーカ装置は、例えば略直方形をなす表示部２０の下部両側に取着される。
【００６４】
実施の形態３にあっては、スピーカＡ，Ａの外周り及び後方へ放射された音波は吸音材３０に当り、該吸音材３０が一部の音波の音を吸音し、音圧を低減することができる。従って、第１及び第２の遮蔽壁２，３により音波の干渉を抑制することができることと相俟って音質をより一層良好にできる。
【００６５】
尚、吸音材３０は不織布である他、発泡体であってもよい。
その他の構成及び作用は実施の形態１と同様であるため、同様の部品については同じ符号を付し、その詳細な説明及び作用効果の説明を省略する。
【００６６】
尚、以上説明した実施の形態のスピーカ装置は二つのスピーカＡ，Ａを備える構成としたが、その他、一つのスピーカＡを備える構成としてもよい。この場合、スピーカＡの筒体４の周方向の任意の２位置に第１の遮蔽壁２又は第２の遮蔽壁３を設ける。また、第１及び第２の遮蔽壁２，３のいずれか一つとする場合、遮蔽壁は筒体４のほぼ全周、又は全周を取囲むように筒状にしてもよい。
【００６７】
また、第１及び第２の遮蔽壁２，３を支持体１に設ける構成としたが、その他、第１及び第２の遮蔽壁２，３は筒体４に設ける構成としてもよい。この場合、例えば筒体４の鍔部４ｅから外方へ延出された延出片と一体に遮蔽壁２，３を成形、又は、別個に形成された遮蔽壁２，３を延出片に結合する構成とする。この場合においても遮蔽壁２，３はいずれか一つとしてもよい。
【図面の簡単な説明】
【００６８】
【図１】本発明に係るスピーカ装置の構成を示す断面図である。
【図２】本発明に係るスピーカ装置の一部を省略した拡大断面図である。
【図３】本発明に係るスピーカ装置の構成を示す斜視図である。
【図４】本発明に係るスピーカ装置の一部を分解した斜視図である。
【図５】本発明に係るスピーカ装置の支持体の構成を示す背面側斜視図である。
【図６】表示装置の構成を示す斜視図である。
【図７】スピーカの歪特性図である。
【図８】本発明に係るスピーカ装置の実施の形態２の構成を示す正面図である。
【図９】本発明に係るスピーカ装置の構成を示す底面図である。
【図１０】本発明に係るスピーカ装置の構成を示す背面図である。
【図１１】本発明に係るスピーカ装置の構成を示す側面図である。
【図１２】本発明に係るスピーカ装置の構成を示す一部を分解した斜視図である。
【図１３】本発明に係るスピーカ装置の支持体の構成を示す背面側斜視図である。
【図１４】本発明に係るスピーカ装置の実施の形態３の構成を示す一部を分解した斜視図である。
【図１５】スピーカの指向性を示す極座標特性図である。
【図１６】スピーカの指向周波数特性図である。
【図１７】ボックスをなくしたスピーカ装置の構成を示す説明図である。
【符号の説明】
【００６９】
Ａ    スピーカ
１    支持体
２    第１の遮蔽壁
３    第２の遮蔽壁
４    筒体
４１  通気孔
５    磁気回路形成部
６    ボイスコイル（コイル）
７    振動板（振動部）
８    ダンパ（振動部）
３０  吸音材
【図１】
2007282051.tif 000003
【図２】
2007282051.tif 000004
【図３】
2007282051.tif 000005
【図４】
2007282051.tif 000006
【図５】
2007282051.tif 000007
【図６】
2007282051.tif 000008
【図７】
2007282051.tif 000009
【図８】
2007282051.tif 000010
【図９】
2007282051.tif 000011
【図１０】
2007282051.tif 000012
【図１１】
2007282051.tif 000013
【図１２】
2007282051.tif 000014
【図１３】
2007282051.tif 000015
【図１４】
2007282051.tif 000016
【図１５】
2007282051.tif 000017
【図１６】
2007282051.tif 000018
【図１７】
2007282051.tif 000019